(57)【要約】【課題】引寄せ機構に加えて引分け機構を備えているにもかかわらず、構造が単純であって、優れた外観が得られる、サッシの施錠装置を提供する。【解決手段】ハンドル軸３に設けられたロックアーム５に、ロック部５１に加えて、引分け部５２を設ける。一方、ロック部５１が係止される係止部６１を備えたストッパ６に、ロック部５１を案内しうる引寄せ案内面６２に加えて、引分け部５２を案内しうる引分け案内面６３を形成する。【選択図】  図１
2004300729.tif 000002
【特許請求の範囲】
【請求項１】
一方の障子の召合せ框に固着されたハンドルベースに、ハンドル軸が回動自在に取り付けられ、ハンドル軸の先端部にハンドルが取り付けられ、ハンドル軸におけるハンドルとハンドルベースとの間の部分に、先端部にハンドルベース側に向かって突出したロック部を有するロックアームが、ハンドルに連動して回動するように取り付けられ、他方の障子の召合せ框に、ロックアームのロック部を係止しうる係止部を備えたストッパが固着され、ストッパに、ハンドルの施錠操作に伴ってロックアームが回動する際、両障子の召合せ框が互いに引き寄せられるようにロック部を係止部まで案内しうる引寄せ案内面が形成されているサッシの施錠装置において、
ロックアームにおけるロック部とハンドル軸との間の部分に、ハンドルベース側に向かって突出した引分け部が設けられるとともに、ストッパに、ハンドルの施錠操作に伴ってロックアームが回動する際、両障子の召合せ框が互いに引き分けられるように引分け部を案内しうる引分け案内面が形成されていることを特徴とする、サッシの施錠装置。
【請求項２】
引分け部が、ロックアームのハンドルベース側に、ロックアームの長さ方向と平行な軸回りに回転自在に設けられたローラよりなることを特徴とする、請求項１記載のサッシの施錠装置。
【発明の詳細な説明】
【０００１】
【発明の属する技術分野】
本発明は、サッシの施錠装置に関する。
【０００２】
【従来の技術】
サッシの施錠装置として、一方の障子の召合せ框に固着されたハンドルベースに、ハンドル軸が回動自在に取り付けられ、ハンドル軸の先端部にハンドルが取り付けられ、ハンドル軸におけるハンドルとハンドルベースとの間の部分に、先端部にハンドルベース側に向かって突出したロック部を有するロックアームが、ハンドルに連動して回動するように取り付けられ、他方の障子の召合せ框に、ロックアームのロック部を係止しうる係止部を備えたストッパが固着され、ストッパに、ハンドルの施錠操作に伴うロックアームの回動の際、両障子の召合せ框が互いに引き寄せられるようにロック部を係止部まで案内しうる引寄せ案内面が形成されているものが従来より知られている。
【０００３】
上記の施錠装置によれば、ハンドルの施錠操作に伴って、両障子の召合せ框が互いに引き寄せられて密着させられるので、サッシの気密性を高めることができる。
【０００４】
ところで、特に気密性が要求されるサッシにおいては、障子の戸先框にも、障子を引き寄せるための回転カムや楔片等が取り付けられている場合がある。その場合、障子を閉位置まで移動させても、その後障子から手を離すと、回転カムや楔片によって障子が押し戻されることがある。従って、上記の施錠装置を備えたサッシの場合、障子を押し戻されないように押さえながら、ハンドルの施錠操作を行う必要があり、使い勝手が良くなかった。
【０００５】
そこで、このような問題点を解決する手段として、障子の引分け機構、即ち、障子を閉位置まで移動させうる機構を備えたサッシの施錠装置が提案されている。この施錠装置は、さらに、ハンドル軸におけるロックアームとハンドルベースとの間の部分に、先端部にハンドルベース側に向かって突出した引分け部を有する引分けアームが、ハンドルに連動して回動するように取り付けられるとともに、ストッパに、ハンドルの施錠操作に伴う引分けアームの回動の際、両障子の召合せ框が互いに引き分けられるように引分け部を案内しうる引分け案内面が形成されたものである（例えば、下記の特許文献１参照）。
【０００６】
【特許文献１】
特公昭５８−２１０７５号公報（特許請求の範囲、第１〜６図等）
【０００７】
【発明が解決しようとする課題】
しかしながら、上述の引分け機構を備えたサッシの施錠装置の場合、ハンドル軸に、ロックアームに加えて、引分けアームを取り付ける必要があるため、構造が複雑になる上、引分けアームを設ける分だけハンドル軸を長くする必要があり、外観上、体裁が良くなかった。
【０００８】
本発明の目的は、引寄せ機構に加えて引分け機構を備えているにもかかわらず、構造が単純であって、優れた外観が得られる、サッシの施錠装置を提供することにある。
【０００９】
【課題を解決するための手段および発明の効果】
本発明によるサッシの施錠装置は、一方の障子の召合せ框に固着されたハンドルベースに、ハンドル軸が回動自在に取り付けられ、ハンドル軸の先端部にハンドルが取り付けられ、ハンドル軸におけるハンドルとハンドルベースとの間の部分に、先端部にハンドルベース側に向かって突出したロック部を有するロックアームが、ハンドルに連動して回動するように取り付けられ、他方の障子の召合せ框に、ロックアームのロック部を係止しうる係止部を備えたストッパが固着され、ストッパに、ハンドルの施錠操作に伴ってロックアームが回動する際、両障子の召合せ框が互いに引き寄せられるようにロック部を係止部まで案内しうる引寄せ案内面が形成されているものにおいて、ロックアームにおけるロック部とハンドル軸との間の部分に、ハンドルベース側に向かって突出した引分け部が設けられるとともに、ストッパに、ハンドルの施錠操作に伴ってロックアームが回動する際、両障子の召合せ框が互いに引き分けられるように引分け部を案内しうる引分け案内面が形成されていることを特徴とする。
【００１０】
上記の施錠装置によれば、ロックアームに引分け部が設けられ、この引分け部が、ストッパの引分け案内面に案内されることにより、両障子の召合せ框が互いに引き分けられるようになっているので、構造を単純化することができ、また、ハンドルの軸部もそれ程長くする必要がなく、外観上、体裁が良い。
【００１１】
本発明によるサッシの施錠装置において、引分け部が、ロックアームのハンドルベース側に、ロックアームの長さ方向と平行な軸回りに回転自在に設けられたローラよりなるのが好ましい。
【００１２】
引分け部を上記のようなローラで構成すれば、ロックアームの回動がスムーズとなり、ハンドルの施錠操作に支障を来すおそれがない。
【００１３】
ストッパの引分け案内面は、ロックアームの回動の際、その引分け部と対面しうる位置に形成され、通常、引き寄せ案内面と隣接している。引分け案内面の形状は、ロックアームの引分け部との係合により、両障子の召合せ框を互いに引き分けることができるものであれば、特に限定されないが、通常、ストッパの係止部側に近づくにつれて次第にロックアーム側に張り出すような曲面または傾斜面となされる。
【００１４】
【発明の実施の形態】
次に、本発明の好ましい実施の形態を、図１〜３を参照して説明する。なお、以下の説明において、図１の手前側を「内」、奥側を「外」という。また、「左右」は、内側からみた場合をいうものとする。
【００１５】
図１〜３において、本発明によるサッシの施錠装置は、外障子（１Ａ）の召合せ框（１１）に固着されたハンドルベース（２）に、ハンドル軸（３）が回動自在に取り付けられ、ハンドル軸（３）の先端部にハンドル（４）が取り付けられ、ハンドル軸（３）におけるハンドル（４）とハンドルベース（２）との間の部分に、先端部にハンドルベース（２）側に向かって突出したロック部（５１）を有するロックアーム（５）が、ハンドル（４）に連動して回動するように設けられ、内障子（１Ｂ）の召合せ框（１１）に、ロックアーム（５）のロック部（５１）を係止しうる係止部（６１）を備えたストッパ（６）が固着されている。ストッパ（６）には、ハンドル（４）の施錠操作に伴ってロックアーム（５）が回動する際、両障子（１Ａ）（１Ｂ）の召合せ框（１１）が互いに引き寄せられるようにロック部（５１）を係止部（６１）まで案内しうる引寄せ案内面（６２）が形成されている。
【００１６】
そして、ロックアーム（５）におけるロック部（５１）とハンドル軸（３）との間の部分に、ハンドルベース（２）側に向かって突出した引分け部（５２）が設けられるとともに、ストッパ（６）に、ハンドル（４）の施錠操作に伴ってロックアーム（５）が回動する際、両障子（１Ａ）（１Ｂ）の召合せ框（１１）が互いに引き分けられるように引分け部（５２）を案内しうる引分け案内面（６３）が形成されている。
【００１７】
各障子（１Ａ）（１Ｂ）の召合せ框（１１）は、それぞれ、横断面略方形の金属中空形材よりなる。各障子（１Ａ）（１Ｂ）の召合せ框（１１）内には、内外方向に伸びる垂直仕切壁（１１１）が一体に形成されている。外障子（１Ａ）の召合せ框（１１）の左側壁および内障子（１Ｂ）の召合せ框（１１）の右側壁に、それぞれ垂直スリット（１１２）が形成され、これらのスリット（１１２）にビード（１２）を介してガラス板（１３）の側縁部が嵌め込まれている。外障子（１Ａ）の召合せ框（１１）の内側壁には、内外障子（１Ａ）（１Ｂ）の召合せ框（１１）どうしの間をシールするパッキン（１４）の一部が嵌め込まれる垂直溝（１１３）が形成されている。
【００１８】
ハンドルベース（２）は、縦長板状のものである。ハンドルベース（２）の長さ中央部は、左方に向かって台状に突出させられており、ここにハンドル軸挿通孔（図示略）があけられている。このハンドルベース（２）は、外障子（１Ａ）の召合せ框（１１）における左側壁外面の室内側部分に、ビス止めされている。
【００１９】
詳しい図示は省略したが、ハンドル軸（３）は、ハンドルベース（２）の挿通孔に挿通され、例えばナット等を用いた適宜手段によって、ハンドルベース（２）に回動自在に取り付けられている。また、ハンドル軸（３）は、ロックアーム（５）のロック部（５１）がストッパ（６）の係止部（６１）に係止されたロック状態を保持しうるように、ハンドルベース（２）に内装された板バネ（図示略）で付勢されるようになっている。
【００２０】
ハンドル（４）は、ハンドル軸（３）の先端部に嵌め止められる中空筒状取付部（４１）と、取付部（４１）の先端部からラジアル方向に伸びる把持部（４２）とを備えている。
【００２１】
ロックアーム（５）は、その基端部に、両端が左右方向に開口した筒状部（５３）を備えている。そして、この筒状部（５３）が、ハンドル軸（３）におけるハンドル（４）とハンドルベース（２）との間の部分に回動自在に嵌められている。筒状部（５３）におけるハンドル（４）側および／またはハンドルベース（２）側の端部には、ハンドル（４）の取付部（４１）および／またはハンドルベース（２）の挿通孔縁部に形成された係合部（４１１）と係合しうる係合部（５３１）が形成されている。これらの係合部（４１１）（５３１）どうしがハンドル（４）の所定回動位置で互いに係合することにより、ハンドル（４）の施錠操作の際、ロックアーム（５）は、ハンドル（４）が解錠位置から一定角度（例えば４５°）回動する間、ハンドル（４）と共回りせず、元の解錠位置に保持されるようになっている。同様に、ハンドル（４）の解錠操作の際にも、ロックアーム（５）は、ハンドル（４）が施錠位置から一定角度（例えば４５°）回動する間、ハンドル（４）と共回りせず、元の施錠位置に保持されるようになっている。
【００２２】
ロック部（５１）は、例えば、ロックアーム（５）の右側面先端部に形成された軸部（図示略）に、金属製のカラー（図示略）を回転可能に取り付けるとともに、カラーに、ＰＯＭ樹脂等よりなるキャップ（５１１）を嵌め被せることによって形成される。
【００２３】
引分け部（５２）は、ロックアーム（５）のハンドルベース（２）側に、ロックアーム（５）の長さ方向と平行な軸回りに回転自在に設けられたローラ（５２１）よりなる。ロックアーム（５）の右側面におけるハンドル軸（３）とロック部（５１）との間の部分に、凹部（５４）が形成されている。ローラ（５２１）は、その一部が凹部（５４）に収容され、ピン（５２２）によって、ロックアーム（５）に回転自在に取り付けられている。したがって、ローラ（５２１）は、ロックアーム（５）のハンドルベース（２）側に僅かに突出させられているにすぎず、外観上あまり目立たない。ローラ（５２１）は、例えばＰＯＭ樹脂等により形成される。
【００２４】
ストッパ（６）は、縦長板状のものであって、内障子（１Ｂ）の召合せ框（１１）の左側壁外面におけるハンドルベース（２）とほぼ同じ高さ位置に、ビス止めされている。ストッパ（６）の左側面には、その長さ中央部に、垂直壁部（６０１）および水平壁部（６０２）を有する左側面より見てほぼＬ字形の突出部が形成されている。係止部（６１）は、垂直壁部（６０１）と水平壁部（６０２）との間の凹部（６０３）によって形成されている。図３に示すように、垂直壁部（６０１）の内側面は、その上部が内方凸曲面、下部が垂直面となされている。この垂直壁部（６０１）の内側面により、引寄せ案内面（６２）が形成されている。また、図２に示すように、垂直壁部（６０１）の左側面は、その上部が内方凸曲面、下部が垂直面となされている。この垂直壁部（６０１）の左側面により、引分け案内面（６３）が形成されている。
【００２５】
次に、図２および３を参照して、上記装置によるサッシの施錠工程を説明する。まず、外障子（１Ａ）および内障子（１Ｂ）および閉位置に移動させる。この際、障子（１Ａ）（１Ｂ）から手を離すと、障子（１Ａ）（１Ｂ）の戸先框に設けられた引寄せ用回転カム（図示略）等により、障子（１Ａ）（１Ｂ）が開方向に押し戻される場合がある（図２（ａ）参照）。また、この状態では、両障子（１Ａ）（１Ｂ）の召合せ框（１１）どうしは、密接していない（図３（ａ）参照）。
【００２６】
そして、先端上向きの解錠位置にあるハンドル（４）の把持部（４２）を持って、これを手前に引くと、ハンドル（４）が施錠方向に回動するが、当初の所定角度の間は、ロックアーム（５）はハンドル（４）とは連動せず、回動しない（図２（ａ）および図３（ａ）参照）。
【００２７】
ハンドル（４）の回動が所定角度を超えると、ロックアーム（５）がハンドル（４）に連動して回動する。そうすると、まず、ロックアーム（５）の引分け部（５２）が、ストッパ（６）の引分け案内面（６３）に接触しながら下方に移動し、それによって外障子（１Ａ）および内障子（１Ｂ）の召合せ框（１１）が互いに引き分けられる（図２（ｂ）参照）。
【００２８】
ハンドル（４）の回動を続けていくと、次いで、ロックアーム（５）のロック部（５１）が、ストッパ（６）の引寄せ案内面（６２）に接触しながら下方に移動し、それによって外障子（１Ａ）および内障子（１Ｂ）の召合せ框（１１）が互いに引き寄せられる（図２（ｂ）参照）。
【００２９】
把持部（４２）の先端がほぼ下向きとなるまでハンドル（４）を回動させると、図２（Ｃ）および図３（ｃ）に示すように、外障子（１Ａ）および内障子（１Ｂ）が完全な閉位置まで引き分けられるとともに、両障子（１Ａ）（１Ｂ）の召合せ框（１１）がパッキン（１４）を介して密接させられた状態で、ロック部（５１）が係止部（６１）に係止され、サッシの施錠が完了する。
【００３０】
なお、上記の実施形態の場合、引分け部（５２）と引分け案内面（６３）との接触移動による引分け動作と、ロック部（５１）と引寄せ案内面（６２）との接触移動による引寄せ動作とは、前者がやや早く開始しているが、ほぼ同時に開始するようになされていてもよい。また、両動作は、前者が先に終了するか、或いは両者が同時に終了するようになされていてもよい。上記のような動作のタイミングの設定は、ストッパ（６）の引分け案内面（６３）および引寄せ案内面（６２）の形状や、ロックアーム（５）における基端部からロック部（５１）および引分け部（５２）までの距離等を適宜変更することによって調整することができる。
【００３１】
上記のサッシの施錠装置によれば、ローラ（５２１）よりなる引分け部（５２）がロックアーム（５）に一体に組み込まれているため、装置の構造が単純である。また、ハンドル軸（３）の長さもそれ程長くなく、体裁がよい。
【図面の簡単な説明】
【図１】本発明の実施形態を示すものであって、サッシの施錠装置の解錠状態を示す斜視図である。
【図２】図１のサッシの施錠装置の施錠工程を順次示す正面図である。
【図３】図１のサッシの施錠装置の施錠工程を順次示す側面図である。
【符号の説明】
（１Ａ）：外障子
（１Ｂ）：内障子
（１１）：召合せ框
（２）：ハンドルベース
（３）：ハンドル軸
（４）：ハンドル
（５）：ロックアーム
（５１）：ロック部
（５２）：引分け部
（５２１）：ローラ
（６）：ストッパ
（６１）：係止部
（６２）：引寄せ案内面
（６３）：引分け案内面
【図１】
2004300729.tif 000003
【図２】
2004300729.tif 000004
【図３】
2004300729.tif 000005